(57)【要約】【課題】  ラックから取り外すことができるスライドレールアセンブリを提供する。【解決手段】  スライドレールアセンブリは、レール要素、第１ブラケット、延伸フレーム、第２ブラケット、ブロック要素及び弾性要素を含む。第１ブラケットは、レール要素に取り付けられており、第１ポストに取り付けられるように構成されている。延伸フレームは、レール要素に対して移動可能である。第２ブラケットは、延伸フレームに取り付けられており、第２ポストに取り付けられるように構成されている。ブロック要素は、第２ブラケットに可動に接続されている。弾性要素は、ブロック要素を第２ブラケットに対する第１の位置に保持するための弾性力を与えるように構成されている。延伸フレームがある方向に沿って移動するようにレール要素によって駆動されるときに、延伸フレームは第１の位置から第２の位置に動くようにブロック要素を押し、第２ブラケットが第２ポストから取り外し可能になる。【選択図】  図１
2017023685.tif 000002
【特許請求の範囲】
【請求項１】
ラックの第１ポスト及び第２ポストに取り付けられるように構成されたスライドレールアセンブリであって、当該スライドレールアセンブリは、
レール要素、
前記レール要素に取り付けられ、前記ラックの前記第１ポストに取り付けられるように構成された、第１ブラケット、
前記レール要素に対して移動可能な、延伸フレーム、
前記延伸フレームに取り付けられ、前記ラックの前記第２ポストに取り付けられるように構成された、第２ブラケット、
前記第２ブラケットに可動に接続された、ブロック要素、及び
前記第２ブラケットに対する第１の位置に前記ブロック要素を保持するための弾性力を与えるように構成された、弾性要素、
を有し、
前記延伸フレームが、前記第１の位置から第２の位置に動くように前記ブロック要素を押すために、前記第２ポストに向かう方向に対して反対の方向に沿って動かされた場合に、前記第２ブラケットは前記第２ポストから取り外し可能である、
スライドレールアセンブリ。
【請求項２】
前記第２ブラケットは、サイドプレート、前記サイドプレートから実質的に垂直に延びるエンドプレート、及び前記エンドプレートに取り付けられた少なくとも一つの取付要素を有し、
前記ブロック要素は、前記第２ブラケットの前記サイドプレートに枢着され、接触部及びブロック部を有し、
前記弾性要素は、前記ブロック要素の前記接触部に前記弾性力を与えるために前記第２ブラケットの前記サイドプレートに繋ぎ止められ、
前記ブロック要素の前記ブロック部は、前記弾性要素の前記弾性力に応じて、前記第２ブラケットの前記取付要素に対する前記第１の位置に保持される、
請求項１に記載のスライドレールアセンブリ。
【請求項３】
前記ブロック要素はガイド機構を更に有し、
前記延伸フレームは、前記ブロック要素の前記ガイド機構に当接するための接触機構を有し、
前記ブロック要素の前記ガイド機構及び前記延伸フレームの前記接触機構のうちの一つは傾斜しており、前記ガイド機構に当接しているときの前記延伸フレームの前記接触機構の移動に応じて前記ブロック要素が回転するように駆動された場合に、前記ブロック要素の前記ブロック部は、前記第２ブラケットの前記取付要素に対する第１の位置から第２の位置に動かされる、
請求項２に記載のスライドレールアセンブリ。
【請求項４】
前記延伸フレーム及び前記第２ブラケットのうちの一つは、少なくとも一つの延伸穴を更に有し、当該スライドレールアセンブリは、前記延伸フレームを前記第２ブラケットに移動可能に取り付けるために前記少なくとも一つの延伸穴を貫通する少なくとも一つの接続要素を更に有する、請求項１に記載のスライドレールアセンブリ。
【請求項５】
前記少なくとも一つの接続要素と前記延伸フレームとの間に接続された少なくとも一つのバネ、を更に有する、請求項４に記載のスライドレールアセンブリ。
【請求項６】
前記第２ブラケットは、サイドプレート、前記サイドプレートから実質的に垂直に延びるエンドプレート、及び前記エンドプレートに取り付けられた少なくとも一つの取付要素を有し、
前記ブロック要素は、前記第２ブラケットの前記サイドプレートに枢着され、第１ガイド機構を有し、
前記延伸フレームは接触機構を有し、
前記弾性要素は、前記ブロック要素の前記第１ガイド機構に当接するように前記延伸フレームの前記接触機構を駆動するための弾性力を与え、前記ブロック要素を前記第２ブラケットに対する前記第１の位置に保持するように構成されている、
請求項１に記載のスライドレールアセンブリ。
【請求項７】
前記ブロック要素は、第２ガイド機構及びブロック部を更に有し、
前記ブロック要素の前記第１ガイド機構及び前記第２ガイド機構は、異なる傾斜の角度を有し、
前記延伸フレームの前記接触機構は傾斜しており、
前記第２ガイド機構に接触しているときの前記延伸フレームの前記接触機構の移動に応じて、前記ブロック要素が回転するように駆動された場合に、前記ブロック要素の前記ブロック部は、前記第２ブラケットの前記取付要素に対する前記第１の位置から前記第２の位置に動かされる、
請求項６に記載のスライドレールアセンブリ。
【請求項８】
前記延伸フレーム及び前記第２ブラケットのうちの一つは、少なくとも一つの延伸穴を更に有し、当該スライドレールアセンブリは、前記延伸フレームを前記第２ブラケットに移動可能に取り付けるために前記少なくとも一つの延伸穴を貫通する少なくとも一つの接続要素を更に有し、
前記弾性要素は、前記少なくとも一つの接続要素と前記延伸フレームとの間に接続される、
請求項６に記載のスライドレールアセンブリ。
【請求項９】
前記第２ブラケットは、サイドプレート、前記サイドプレートから実質的に垂直に延びるエンドプレート、及び前記エンドプレートに取り付けられた少なくとも一つの取付要素を有し、
前記ブロック要素は、前記第２ブラケットの前記サイドプレートに枢着され、ガイド機構及びブロック部を有し、
前記ブロック要素の前記ガイド機構は傾斜しており、
前記弾性要素は、前記ブロック要素の前記ガイド機構に弾性力を与えるために前記延伸フレームに繋ぎ止められ、前記ガイド機構に前記弾性力を加えているときの前記弾性要素の移動に応じて前記ブロック要素が回転するように駆動された場合に、前記ブロック要素の前記ブロック部は、前記第２ブラケットの前記取付要素に対する第１の位置から第２の位置に動かされる、
請求項１に記載のスライドレールアセンブリ。
【請求項１０】
前記延伸フレーム及び前記第２ブラケットのうちの一つは、少なくとも一つの延伸穴を更に有し、当該スライドレールアセンブリは、前記延伸フレームを前記第２ブラケットに移動可能に取り付けるために前記少なくとも一つの延伸穴を貫通する少なくとも一つの接続要素、及び前記少なくとも一つの接続要素と前記延伸フレームとの間に接続された少なくとも一つのバネ、を更に有する、請求項９に記載のスライドレールアセンブリ。
【請求項１１】
前記第２ブラケットは、サイドプレート、前記サイドプレートから実質的に垂直に延びるエンドプレート、及び前記エンドプレートに取り付けられた少なくとも一つの取付要素を有し、
前記ブロック要素は、前記第２ブラケットの前記サイドプレートに枢着され、接触部及びブロック部を有し、
前記弾性要素は、前記ブロック要素に当接するために前記第２ブラケットの前記サイドプレートに繋ぎ止められ、
前記ブロック要素の前記ブロック部は、前記弾性要素の前記弾性力に応じて、前記第２ブラケットの前記取付要素に対する前記第１の位置に保持される、
請求項１に記載のスライドレールアセンブリ。
【請求項１２】
前記ブロック要素はガイド機構を有し、前記ガイド機構は傾斜しており、
前記延伸フレームは接触機構を有し、前記接触機構は前記ブロック要素の前記ガイド機構に当接するための棒形状の物体であり、
前記ガイド機構に当接しているときの前記延伸フレームの前記接触機構の移動に応じて前記ブロック要素が回転するように駆動された場合に、前記ブロック要素の前記ブロック部は、前記第２ブラケットの前記取付要素に対する第１の位置から第２の位置に動かされる、
請求項１１に記載のスライドレールアセンブリ。
【請求項１３】
前記延伸フレーム及び前記第２ブラケットのうちの一つは、少なくとも一つの延伸穴を更に有し、当該スライドレールアセンブリは、前記延伸フレームを前記第２ブラケットに移動可能に取り付けるために前記少なくとも一つの延伸穴を貫通する少なくとも一つの接続要素を更に有する、請求項１１に記載のスライドレールアセンブリ。
【請求項１４】
前記少なくとも一つの接続要素と前記延伸フレームとの間に接続された少なくとも一つのバネ、を更に有する、請求項１３に記載のスライドレールアセンブリ。
【請求項１５】
ブラケット、
前記ブラケットに枢着されたブロック要素、
前記ブロック要素を前記ブラケットに対する第１の位置に保持するための弾性力を与えるように構成された弾性要素、及び
前記ブラケットに移動可能に取り付けられた延伸フレーム、
を有し、
前記延伸フレームは、前記第１の位置から第２の位置に動くように前記ブロック要素を押すように構成されている、
ブラケット装置。
【請求項１６】
前記弾性要素は前記ブラケットに繋ぎ止められ、
前記ブロック要素は、前記弾性要素の弾性力に応じて前記ブラケットに対する第１の位置に保持され、
前記ブロック要素は、ガイド機構及びブロック部を有し、
前記延伸フレームは、前記ブロック要素の前記ガイド機構に当接するための接触機構を有し、
前記ブロック要素の前記ガイド機構及び前記延伸フレームの前記接触機構のうちの一つは、傾斜しており、
前記ガイド機構に当接しているときの前記延伸フレームの前記接触機構の移動に応じて前記ブロック要素が回転するように駆動された場合に、前記ブロック要素の前記ブロック部は、前記ブラケットに対する前記第１の位置から前記第２の位置に動かされる、
請求項１５に記載のブラケット装置。
【請求項１７】
前記ブロック要素は、第１ガイド機構、第２ガイド機構及びブロック部を有し、前記第１ガイド機構及び前記第２ガイド機構は、異なる傾斜の角度を有し、
前記延伸フレームは接触機構を有し、前記接触機構は傾斜しており、
前記弾性要素は、前記ブロック要素の前記第１ガイド機構に当接するように前記延伸フレームの前記接触機構を駆動するための弾性力を与えるように構成されており、前記ブロック要素の前記ブロック部は、前記ブラケットに対する前記第１の位置に保持され、
前記第２ガイド機構に当接しているときの前記延伸フレームの前記接触機構の移動に応じて前記ブロック要素が回転するように駆動された場合に、前記ブロック要素の前記ブロック部は、前記ブラケットに対する前記第１の位置から前記第２の位置に動かされる、
請求項１５に記載のブラケット装置。
【請求項１８】
前記ブロック要素はガイド機構及びブロック部を有し、前記ガイド機構は傾斜しており、
前記弾性要素は、前記ブロック要素の前記ガイド機構に当接するために前記延伸フレームに繋ぎ止められ、
前記ブロック要素の前記ブロック部は、前記ブラケットに対する前記第１の位置に保持され、
前記ガイド機構に前記弾性力を加えているときの前記弾性要素の移動に応じて前記ブロック要素が回転するように駆動された場合に、前記ブロック要素の前記ブロック部は、前記ブラケットに対する前記第１の位置から前記第２の位置に動かされる、
請求項１５に記載のブラケット装置。
【請求項１９】
前記弾性要素は前記ブラケットに繋ぎ止められ、
前記ブロック要素は、前記弾性要素の弾性力に応じて前記第１の位置に保持され、
前記ブロック要素は、ガイド機構及びブロック部を有し、前記ガイド機構は傾斜しており、
前記延伸フレームは接触機構を有し、前記接触機構は前記ブロック要素の前記ガイド機構に当接するための棒形状の物体であり、
前記ガイド機構に当接しているときの前記延伸フレームの前記接触機構の移動に応じて前記ブロック要素が回転するように駆動された場合に、前記ブロック要素の前記ブロック部は、前記ブラケットに対する前記第１の位置から前記第２の位置に動かされる、
請求項１５に記載のブラケット装置。
【請求項２０】
ブラケット、
前記ブラケットに可動に接続されたブロック要素であり、該ブロック要素は傾斜したガイド機構を有する、ブロック要素、
前記ブラケットに取り付けられた延伸フレームであり、該延伸フレームは、前記ブロック要素を前記ブラケットに対する第１の位置から第２の位置に動かすために前記ブロック要素の前記ガイド機構に当接するための接触機構を有し、該延伸フレームは、少なくとも一つの延伸穴を有する、延伸フレーム、
前記延伸フレームを前記ブラケットに移動可能に取り付けるために前記少なくとも一つの延伸穴を貫通する少なくとも一つの接続要素、及び
前記少なくとも一つの接続要素と前記延伸フレームとの間に接続された、少なくとも一つのバネ、
を有する、ブラケット装置。
【発明の詳細な説明】
【技術分野】
【０００１】
本発明は、スライドレールアセンブリに関し、より具体的には、ラックの前で操作する場合に一人で容易にラックに取り付けられる又はラックから取り外されることができるスライドレールアセンブリに関する。
【背景技術】
【０００２】
中国特許第１０２６９５３９６Ｂ号明細書は、サーバーのためのスライドレール器具自在取付フレームを開示し、これは、スライドレール後部取付フレーム（slide  rail  back  mounting  frame）（１）に配置された一対のフレーム位置決め柱（４）と、フレームフローティングフック（２）とを備える。フレームフローティングフック（２）は、一対のウィング（２０５）にそれぞれ配置された一対のフック（２０３）を含む。一対のウィング（２０５）は、スライドガイドスリーブ（２０１）がそれぞれ設けられ、「アーチ状ドア（arch  door）」に形づくられた屈曲片（２０６）を介して固定接続されている。スライドレール後部取付フレーム（１）は、２つのスライドガイド柱（１０１）と共に固定され、これらは、スライドガイドスリーブ（２０１）内にスリーブが付けられ、かつ、制限スクリュー（７）を介して固定接続されている。第１戻りばね（６）は、ウィング（２０５）と制限スクリュー（７）との間のスライドガイドスリーブ（２０１）に配置される。スライドレール後部取付フレーム（１）は、フローティングピン（３）を配置するためのフローティングピン孔（１０４）を更に設けられる。フローティングピン（３）の一端は、制限スクリュー（７）を介して「アーチ状ドア」に形づくられた屈曲片（２０６）に接続され、該フローティングピンの他端は、フローティングピン孔（１０４）内に配置された円錐形頭部（３０１）である。第２戻りばね（５）は、円錐形頭部（３０１）の端面と制限スクリュー（７）との間のフローティングピン（３）に配置される。
【０００３】
そのような配置によると、先行技術は、後部フレームによってカバーされたスライドレールの外レールにより駆動されるフローティングピン（３）を介して、スライドレール後部取付フレーム（１）を係止又は解除することができる。しかしながら、先行技術は、スライドレール後部取付フレーム（１）を係止するために、スライドレールの外レールを通じて動くようにフローティングピン（３）を駆動して、フレームフローティングフック（２）を持ち上げることを必要とする。しかし、スライドレールの外レールを通じてフローティングピン（３）を駆動するそのような係止操作は、スライドレールの延伸の調節量を低減するかもしれず、そのため、そのスライドレールは、異なる深さを有するラックに対して、特により深いラックに対して適用可能でない。他方で、先行技術はより複雑な構造を開示するが、これは、より高い部品コスト及びより多くの組立て作業時間の原因となる。
【先行技術文献】
【特許文献】
【０００４】
【特許文献１】中国特許第１０２６９５３９６Ｂ号明細書
【発明の概要】
【発明が解決しようとする課題】
【０００５】
本発明は、ラックからブラケットを容易に取り外すことができるスライドレールアセンブリに関する。
【課題を解決するための手段】
【０００６】
本発明の一つの実施形態によれば、スライドレールアセンブリは、ラックの第１ポスト及び第２ポストに取り付けられるように構成されている。スライドレールアセンブリは、レール要素、第１ブラケット、延伸フレーム（extension  frame）、第２ブラケット、ブロック要素（blocking  element）及び弾性要素を有する。第１ブラケットは、レール要素に取り付けられ、ラックの第１ポストに取り付けられるように構成されている。延伸フレームは、レール要素に対して移動可能（又は可動）（movable）である。第２ブラケットは、延伸フレームに取り付けられ、ラックの第２ポストに取り付けられるように構成されている。ブロック要素は、第２ブラケットに可動に（又は移動可能に）（movably）接続されている。弾性要素は、第２ブラケットに対する第１の位置にブロック要素を保持するための弾性力を与える（provide）ように構成されている。ここで、延伸フレームが、第１の位置から第２の位置に動くようにブロック要素を押すために、第２ポストに向かう方向に対して反対の方向に沿って動かされた場合に、第２ブラケットは第２ポストから取り外し可能である。
【０００７】
本発明の他の実施形態によれば、ブラケット装置は、ブラケット、ブロック要素、弾性要素及び延伸フレームを有する。ブロック要素は、ブラケットに枢着されている（pivoted）。弾性要素は、ブロック要素をブラケットに対する第１の位置に保持するための弾性力を与えるように構成されている。延伸フレームは、ブラケットに移動可能に取り付けられている。ここで、延伸フレームは、第１の位置から第２の位置に動くようにブロック要素を押すように構成されている。
【０００８】
本発明の他の実施形態によれば、ブラケット装置は、ブラケット、ブロック要素、延伸フレーム、少なくとも一つの接続要素及び少なくとも一つのバネを有する。ブロック要素は、ブラケットに可動に接続されている。ブロック要素は傾斜したガイド機構（inclined  guiding  feature）を有する。延伸フレームは、ブラケットに取り付けられている。延伸フレームは、ブロック要素をブラケットに対する第１の位置から第２の位置に動かすためにブロック要素のガイド機構に当接するための接触機構（contact  feature）を有する。延伸フレームは、少なくとも一つの延伸穴を有する。少なくとも一つの接続要素は、延伸フレームをブラケットに移動可能に取り付けるために少なくとも一つの延伸穴を貫通する。少なくとも一つのバネは、少なくとも一つの接続要素と延伸フレームとの間に接続されている。
【０００９】
上記の実施形態のうちの一つによれば、第２ブラケットは、サイドプレート、サイドプレートから実質的に垂直に延びるエンドプレート、及びエンドプレートに取り付けられた少なくとも一つの取付要素（mounting  element）を有する。ブロック要素は、第２ブラケットのサイドプレートに枢着され、接触部及びブロック部（blocking  part）を有する。弾性要素は、ブロック要素の接触部に弾性力を与えるために第２ブラケットのサイドプレートに繋ぎ止められ（attached）る。ブロック要素のブロック部は、弾性要素の弾性力に応じて（in  response  to）、第２ブラケットの取付要素に対する第１の位置に保持される。ブロック要素はガイド機構を更に有する。延伸フレームは、ブロック要素のガイド機構に当接するための接触機構（contact  feature）を有する。ブロック要素のガイド機構及び延伸フレームの接触機構のうちの一つは傾斜している。ここで、ガイド機構に当接しているときの延伸フレームの接触機構の移動に応じてブロック要素が回転するように駆動された場合に、ブロック要素のブロック部は、第２ブラケットの取付要素に対する第１の位置から第２の位置に動かされる。
【００１０】
上記の実施形態のうちの一つによれば、延伸フレーム及び第２ブラケットのうちの一つは、少なくとも一つの延伸穴を更に有する。スライドレールアセンブリは、延伸フレームを第２ブラケットに移動可能に取り付けるために少なくとも一つの延伸穴を貫通する（passing  through）少なくとも一つの接続要素を更に有する。スライドレールアセンブリは、少なくとも一つの接続要素と延伸フレームとの間に接続された少なくとも一つのバネ、を更に有する。
【００１１】
上記の実施形態のうちの一つによれば、第２ブラケットは、サイドプレート、サイドプレートから実質的に垂直に延びるエンドプレート、及びエンドプレートに取り付けられた少なくとも一つの取付要素を有する。ブロック要素は、第２ブラケットのサイドプレートに枢着され、第１ガイド機構を有する。延伸フレームは接触機構を有する。弾性要素は、ブロック要素の第１ガイド機構に当接するように延伸フレームの接触機構を駆動するための弾性力を与えるように構成されている。ブロック要素は、第２ブラケットに対する第１の位置に保持される。ブロック要素は、第２ガイド機構及びブロック部を更に有する。ブロック要素の第１ガイド機構及び第２ガイド機構は、異なる傾斜の角度を有する。延伸フレームの接触機構は傾斜している。ここで、第２ガイド機構に接触しているときの延伸フレームの接触機構の移動に応じて、ブロック要素が回転するように駆動された場合に、ブロック要素のブロック部は、第２ブラケットの取付要素に対する第１の位置から第２の位置に動かされる。延伸フレーム及び第２ブラケットのうちの一つは、少なくとも一つの延伸穴を更に有する。スライドレールアセンブリは、延伸フレームを第２ブラケットに移動可能に取り付けるために少なくとも一つの延伸穴を貫通する少なくとも一つの接続要素を更に有する。弾性要素は、少なくとも一つの接続要素と延伸フレームとの間に接続される。
【００１２】
上記の実施形態のうちの一つによれば、第２ブラケットは、サイドプレート、サイドプレートから実質的に垂直に延びるエンドプレート、及びエンドプレートに取り付けられた取付要素を有する。ブロック要素は、第２ブラケットのサイドプレートに枢着され、ガイド機構及びブロック部を有する。ブロック要素のガイド機構は傾斜している。弾性要素は、ブロック要素のガイド機構に弾性力を与えるために延伸フレームに繋ぎ止められる。ここで、ガイド機構に弾性力を加えているときの弾性要素の移動に応じてブロック要素が回転するように駆動された場合に、ブロック要素のブロック部は、第２ブラケットの取付要素に対する第１の位置から第２の位置に動かされる。延伸フレーム及び第２ブラケットのうちの一つは、少なくとも一つの延伸穴を更に有する。スライドレールアセンブリは、延伸フレームを第２ブラケットに移動可能に取り付けるために少なくとも一つの延伸穴を貫通する少なくとも一つの接続要素を更に有する。少なくとも一つのバネは、少なくとも一つの接続要素と延伸フレームとの間に接続されている。
【００１３】
上記の実施形態のうちの一つによれば、第２ブラケットは、サイドプレート、サイドプレートから実質的に垂直に延びるエンドプレート、及びエンドプレートに取り付けられた取付要素を有する。ブロック要素は、第２ブラケットのサイドプレートに枢着され、接触部及びブロック部を有する。弾性要素は、ブロック要素に当接するために第２ブラケットのサイドプレートに繋ぎ止められる。ブロック要素のブロック部は、弾性要素の弾性力に応じて、第２ブラケットの取付要素に対する第１の位置に保持される。ブロック要素はガイド機構を有し、ガイド機構は傾斜している。延伸フレームは接触機構を有する。接触機構はブロック要素のガイド機構に当接するための棒形状の物体である。ここで、ガイド機構に当接しているときの延伸フレームの接触機構の移動に応じてブロック要素が回転するように駆動された場合に、ブロック要素のブロック部は、第２ブラケットの取付要素に対する第１の位置から第２の位置に動かされる。延伸フレーム及び第２ブラケットのうちの一つは、少なくとも一つの延伸穴を更に有する。スライドレールアセンブリは、延伸フレームを第２ブラケットに移動可能に取り付けるために少なくとも一つの延伸穴を貫通する少なくとも一つの接続要素を更に有する。スライドレールアセンブリは、少なくとも一つの接続要素と延伸フレームとの間に接続された少なくとも一つのバネ、を更に有する。
【００１４】
本発明の実施形態は、ラックの前で操作をする場合に、スライドレールアセンブリが、一人で容易にラックに取り付けられる又はラックから取り外されることができることを特徴とする。
【００１５】
本発明のこれらの及び他の対象は、以下の、様々な図表及び図面に示される好ましい実施形態の詳細な説明を読んだ後に、疑いなく、当業者にとって明白になるであろう。
【図面の簡単な説明】
【００１６】
【図１】本発明の第１の実施形態による、スライドレールアセンブリの展開図である。
【００１７】
【図２】本発明の第１の実施形態による、スライドレールアセンブリの第２ブラケット及び延伸フレームの展開図である。
【００１８】
【図３】本発明の第１の実施形態による、ラックに取り付けられているスライドレールアセンブリを示す図である。
【００１９】
【図４】本発明の第１の実施形態による、ラックの第１ポスト及び第２ポストに取り付けられた、スライドレールアセンブリの第１ブラケット及び第２ブラケットを示す図である。
【００２０】
【図５】本発明の第１の実施形態による、ラックの第１ポストから取り外された、スライドレールアセンブリの第１ブラケットを示す図である。
【００２１】
【図６】本発明の第１の実施形態による、ラックの第２ポストからスライドレールアセンブリの第２ブラケットを取り外すための操作（１）を説明する図である。
【００２２】
【図７】本発明の第１の実施形態による、ラックの第２ポストからスライドレールアセンブリの第２ブラケットを取り外すための操作（２）を説明する図である。
【００２３】
【図８】本発明の第１の実施形態による、ラックの第２ポストからスライドレールアセンブリの第２ブラケットを取り外すための操作（３）を説明する図である。
【００２４】
【図９】本発明の第１の実施形態による、ラックの第２ポストからスライドレールアセンブリの第２ブラケットを取り外すための操作（４）を説明する図である。
【００２５】
【図１０】本発明の第２の実施形態による、スライドレールアセンブリの一部分を示す図である。
【００２６】
【図１１】本発明の第２の実施形態による、スライドレールアセンブリの第２ブラケット及び延伸フレームの展開図である。
【００２７】
【図１２】本発明の第２の実施形態による、ラックの第２ポストに取り付けられた、スライドレールアセンブリの第２ブラケットを示す図である。
【００２８】
【図１３】本発明の第２の実施形態による、ラックの第２ポストからスライドレールアセンブリの第２ブラケットを取り外すための操作を示す図である。
【００２９】
【図１４】本発明の第３の実施形態による、スライドレールアセンブリの一部分を示す図である。
【００３０】
【図１５】本発明の第３の実施形態による、スライドレールアセンブリの第２ブラケット及び延伸フレームの展開図である。
【００３１】
【図１６】本発明の第３の実施形態による、ラックの第２ポストに取り付けられた、スライドレールアセンブリの第２ブラケットを示す図である。
【００３２】
【図１７】本発明の第３の実施形態による、ラックの第２ポストからスライドレールアセンブリの第２ブラケットを取り外すための操作を説明する図である。
【００３３】
【図１８】本発明の第４の実施形態による、スライドレールアセンブリの一部分を示す図である。
【００３４】
【図１９】本発明の第４の実施形態による、スライドレールアセンブリの第２ブラケット及び延伸フレームの展開図である。
【００３５】
【図２０】本発明の第４の実施形態による、ラックの第２ポストに取り付けられた、スライドレールアセンブリの第２ブラケットを示す図である。
【００３６】
【図２１】本発明の第４の実施形態による、ラックの第２ポストからスライドレールアセンブリの第２ブラケットを取り外すための操作を説明する図である。
【発明を実施するための形態】
【００３７】
図１は、本発明の第１の実施形態による、スライドレールアセンブリ１００を示す図である。スライドレールアセンブリ１００は、レール要素１０２、第１ブラケット１０４、支持フレーム１０６、延伸フレーム１０８及び第２ブラケット１１０を有する。第１ブラケット１０４は、レール要素１０２の前端に隣接するようにレール要素１０２に取り付けられる。支持フレーム１０６は、レール要素１０２の一部分として、レール要素１０２に固定的に取り付けられる。支持フレーム１０６は、上壁１１２ａ、下壁１１２ｂ、及び上壁１１２ａと下壁１１２ｂとの間に延びる側壁１１４を有する。通路１１６は、上壁１１２ａ及び下壁１１２ｂによって画定される。側壁１１４は、通路１１６内に配置された第１部分１１８（バンプなど）を有する。延伸フレーム１０８は、支持フレーム１０６に移動可能に取り付けられている。したがって、延伸フレーム１０８は、レール要素１０２に対して移動可能である。延伸フレーム１０８の少なくとも一部分は、支持フレーム１０６の通路１１６内に対応するように取り付けられ、レール要素１０２に対して長手方向に動くことができる。延伸フレーム１０８は、支持フレーム１０６の第１部分１１８に対応する第２部分１２０を有する。第２ブラケット１１０は延伸フレーム１０８に取り付けられており、すなわち、第２ブラケット１１０は、レール要素１０２に対して移動可能であり、レール要素１０２の後端に隣接するように動くことができる。
【００３８】
図２に示されるように、第２ブラケット１１０は、サイドプレート１２２、サイドプレート１２２の一端から実質的に垂直に延びるエンドプレート１２４、及びエンドプレート１２４に取り付けられた少なくとも一つの取付要素１２６を有する。スライドレールアセンブリ１００は、第２ブラケット１１０のサイドプレート１２２に可動に接続された（例えば枢着された（pivoted））少なくとも一つのブロック要素１２８を更に有する。ブロック要素１２８は、ガイド部１３０、接触部１３２及びブロック部１３４を有する。ガイド部１３０は、傾斜したガイド機構１３６を有する。加えて、スライドレールアセンブリ１００は、第２ブラケット１１０のサイドプレート１２２に繋ぎ止められた弾性要素１３８を更に有する。延伸フレーム１０８の一端には、ブロック要素１２８のガイド機構１３６に対応する少なくとも一つの傾斜した接触機構１４０が配置されている。延伸フレーム１０８は、第１支持機構１４２及び少なくとも一つの第２支持機構１４４を更に有する。第１支持機構１４２は、少なくとも一つの第１接続要素１４６によって、延伸フレーム１０８の固定穴１４８に取り付けられている。第２支持機構１４４は、延伸フレーム１０８の少なくとも一つの第１延伸穴１５２を通じて少なくとも一つの第２接続要素１５０の一部分を対応するように通すことによって、第２ブラケット１１０のサイドプレート１２２に接続されている。少なくとも一つの第２接続要素１５０の他の部分は、延伸フレーム１０８を第２ブラケット１１０に移動可能に取り付けるために、延伸フレーム１０８の一方の面でブロックされる。そのため、延伸フレーム１０８は、少なくとも一つの第１延伸穴１５２によって規定された、限定された範囲内で、第２ブラケット１１０のサイドプレート１２２に対して動くことができる。好ましくは、延伸フレーム１０８には更に、第３接続要素１５６の一部分が対応するように貫通し、第２ブラケット１１０のサイドプレート１２２に接続されることを可能にするための第２延伸穴１５４が形成される。ここで、スライドレールアセンブリ１００は、少なくとも一つの第１接続要素１４６と少なくとも一つの第２接続要素１５０との間に対応するように接続された少なくとも一つのバネ１５８を更に有してもよい。
【００３９】
図３及び図４に示されるように、スライドレールアセンブリ１００は、それぞれ第１ブラケット１０４及び第２ブラケット１１０によって、ラックの第１ポスト１６０及び第２ポスト１６２に取り付けられる。スライドレールアセンブリ１００の支持フレーム１０６の第１部分は、所定の距離から延伸フレーム１０８の第２部分１２０に対応する。弾性要素１３８は、第２ブラケット１１０に対する第１の位置Ｐ１にブロック要素１２８を保持するための弾性力を与えるように構成されている。本実施形態において、弾性要素１３８は、ブロック要素１２８の接触部１３２に当接し、ブロック要素１２８の接触部１３２に弾性力を与える。そのため、ブロック要素１２８のブロック部１３４は、弾性要素１３８の弾性力に応じて、第２ブラケット１１０の取付要素１２６（又はエンドプレート１２４）に対する第１の位置Ｐ１に保持される。したがって、ブロック要素１２８のブロック部１３４は、第２ポスト１６２に対応し又は第２ポスト１６２に面し、第２ブラケット１１０が第２ポスト１６２から取り外し可能でないことを確かにする。
【００４０】
図５は、ラックの第１ポスト１６０から取り外されている、スライドレールアセンブリ１００の第１ブラケット１０４を示す図である。第１に、第１ブラケット１０４とラックの第１ポスト１６０との間の位置状態は、例えば第１ポスト１６０に繋ぎ止められた固定要素又は他の種類の部品（図示なし）を取り外すことによって、離され得る。その後に、スライドレールアセンブリ１００は、ラックの第２ポスト１６２に向かって（例えば図示された矢印によって指示される方向に）動くように、わずかに押される。そのため、スライドレールアセンブリ１００の第１ブラケット１０４は、ラックの第１ポスト１６０から取り外されることができる。
【００４１】
図６に示されるように、スライドレールアセンブリ１００は、方向Ｆ１（例えば第２ポスト１６２に向かう方向に対して反対の方向）に沿って動くように引き出される。そのため、スライドレールアセンブリ１００の支持フレーム１０６の第１部分１１８は、延伸フレーム１０８の第２部分１２０に当接する。
【００４２】
図７に示されるように、スライドレールアセンブリ１００が方向Ｆ１に沿って動くように引き続き引き出される場合、延伸フレーム１０８は、スライドレールアセンブリ１００の支持フレーム１０６の第１部分１１８によって、方向Ｆ１に沿って動くように駆動される。そのため、延伸フレーム１０８の接触機構１４０は、ブロック要素１２８のガイド部１３０のガイド機構１３６に当接する。
【００４３】
図８及び図９に示されるように、スライドレールアセンブリ１００が方向Ｆ１に沿って動くように引き続き引き出される場合、延伸フレーム１０８の接触機構１４０がブロック要素１２８のガイド部１３０のガイド機構１３６に所定の位置で当接する。そのため、ブロック要素１２８は、ガイド部１３０のガイド機構１３６に当接しているときの延伸フレーム１０８の接触機構１４０の移動に応じて、ブロック要素１２８のブロック部１３４を取付要素１２６に対する第１の位置Ｐ１から第２の位置Ｐ２に動かすように、回転するように駆動される。一方、ブロック要素１２８のブロック部１３４は、もはや第２ポストに対応又は面しない。そのため、第２ブラケット１１０は、第２ポスト１６２から取り外されることができる。したがって、ラックの第１ポスト１６０の前に立つ使用者は、第１ポスト１６０及び第２ポスト１６２からスライドレールアセンブリ１００を取り外すことができ、使用者が便利にかつ迅速に操作することが可能となる。他の実施形態において、延伸フレーム１０８はまた、第１ブラケット１０４に隣接して支持フレーム１０６を超えるように延ばされてもよく、使用者が第２ポストからブロック要素１２８を取り外すために延伸フレーム１０８を直接的に引くことを可能にする。方向Ｆ１に沿って加えられる力がもはや存在しない場合、延伸フレーム１０８と第２ブラケットのサイドプレート１２２との間の初期の相対的な位置状態は、弾性要素１５８の弾性力によって取り戻されることができる。
【００４４】
図１０は、本発明の第２の実施形態による、スライドレールアセンブリ２００を示す図である。スライドレールアセンブリ２００は、レール要素２０２、第１ブラケット（図示なし）、支持フレーム２０６、延伸フレーム２０８及び第２ブラケット２１０を有する。支持フレーム２０６は、レール要素２０２の一部分として、レール要素２０２に固定的に取り付けられる。延伸フレーム２０８は、支持フレーム２０６に移動可能に取り付けられる。第２ブラケット２１０は、延伸フレーム２０８に取り付けられる。
【００４５】
図１１は、サイドプレート２２２、サイドプレート２２２の一端から実質的に垂直に延びるエンドプレート２２４、及びエンドプレート２２４に取り付けられた少なくとも一つの取付要素２２６を有する第２ブラケット２１０を更に示す。スライドレールアセンブリ２００は、第２ブラケット２１０のサイドプレート２２２に可動に接続された（例えば枢着された）少なくとも一つのブロック要素２２８を更に有する。ブロック要素２２８は、第１ガイド部２３０、第２ガイド部２３２及びブロック部２３４を有する。第１ガイド部２３０は、第１ガイド機構２３６を有する。第２ガイド部２３２は、第２ガイド機構２３８を有する。第１ガイド機構２３６及び第２ガイド機構２３８は、異なる方向に傾斜している。加えて、延伸フレーム２０８の一端には、ブロック要素２２８の第１ガイド機構２３６及び第２ガイド機構２３８に対応する少なくとも一つの傾斜した接触機構２４０が配置されている。延伸フレーム２０８は、第１支持機構２４２及び少なくとも一つの第２支持機構２４４を更に有する。第１支持機構２４２は、第１接続要素２４６によって、延伸フレーム２０８の固定穴２４８に取り付けられている。第２支持機構２４４は、延伸フレーム２０８第１延伸穴２５２を通じて少なくとも一つの第２接続要素２５０の一部分を対応するように通すことによって、第２ブラケット２１０のサイドプレート２２２に接続されている。少なくとも一つの第２接続要素２５０の他の部分は、延伸フレーム２０８を第２ブラケット２１０に移動可能に取り付けるために、延伸フレーム２０８の一方の面でブロックされる。そのため、延伸フレーム２０８は、少なくとも一つの第１延伸穴２５２によって規定された、限定された範囲内で、第２ブラケット２１０のサイドプレート２２２に対して動くことができる。好ましくは、延伸フレーム２０８には更に、第３接続要素２５６の一部分が対応するように貫通し、第２ブラケット２１０のサイドプレート２２２に接続されることを可能にするための第２延伸穴２５４が形成される。加えて、スライドレールアセンブリ２００は、第１接続要素２４６と第２接続要素２５０との間に接続された弾性要素２５８を更に有する。弾性要素２５８は、少なくとも一つのバネであってもよい。
【００４６】
図１２に示されるように、延伸フレーム２０８の接触機構２４０は、第２ブラケット２１０に対する第１の位置Ｐ１にブロック要素２２８のブロック部２３４を保持するために、弾性要素２５８によって生み出される弾性力によって、ブロック要素２２８の第１ガイド部２３０の第１ガイド機構に当接するように駆動される。例えば、ブロック要素２２８のブロック部２３４は、第２ブラケット２１０の取付要素２２６（又はエンドプレート２２４）に対する第１の位置Ｐ１に保持される。そのため、ブロック要素２２８のブロック部２３４は、第２ポスト２６２に対応し又は第２ポスト２６２に面し、第２ブラケット２１０が第２ポスト２６２から取り外し可能でないことを確かにする。
【００４７】
図１３に示されるように、ラックの第１ポスト（図示なし）からスライドレールアセンブリ２００の第１ブラケットを取り外した後に、延伸フレーム２０８は、延伸フレーム２０８の接触機構２４０がブロック要素２２８の第１ガイド部２３０の第１ガイド機構２３６から離れ、ブロック要素２２８の第２ガイド部２３２の第２ガイド機構２３８に所定の位置で当接するように動かすために、方向Ｆ１（例えば第２ポスト２６２に向かう方向に対して反対の方向）に沿って動くように引き出される。一方、ブロック要素２２８は、第２ガイド機構２３８に当接しているときの延伸フレーム２０８の接触機構２４０の移動に応じて、ブロック要素２２８のブロック部２３４を第１の位置Ｐ１から第２の位置Ｐ２に動かすように、回転するように駆動される。そのため、第２ブラケット２１０は、第２ポスト２６２から取り外されることができる。そのような配置によると、ラックの第１ポストの前に立つ使用者は、第１ポスト及び第２ポストからスライドレールアセンブリ２００を取り外すことができ、使用者が便利にかつ迅速に操作することが可能となる。
【００４８】
図１４は、本発明の第３の実施形態による、スライドレールアセンブリ３００を示す図である。スライドレールアセンブリ３００は、レール要素３０２、第１ブラケット（図示なし）、支持フレーム３０６、延伸フレーム３０８及び第２ブラケット３１０を有する。支持フレーム３０６は、レール要素３０２の一部分として、レール要素３０２に固定的に取り付けられる。延伸フレーム３０８は、支持フレーム３０６に移動可能に取り付けられる。第２ブラケット３１０は、延伸フレーム３０８に取り付けられる。
【００４９】
図１５は、サイドプレート３２２、サイドプレート３２２の一端から実質的に垂直に延びるエンドプレート３２４、及びエンドプレート３２４に取り付けられた少なくとも一つの取付要素３２６を有する第２ブラケット３１０を更に示す。スライドレールアセンブリ３００は、第２ブラケット３１０のサイドプレート３２２に可動に接続された（例えば枢着された）少なくとも一つのブロック要素３２８を更に有する。ブロック要素３２８は、ガイド部３３０及びブロック部３３４を有する。ガイド部３３０は、傾斜したガイド機構３３６を有する。加えて、スライドレールアセンブリ３００は、延伸フレーム３０８の一端に繋ぎ止められた弾性要素３３８を更に有する。延伸フレーム３０８は、第１支持機構３４２及び少なくとも一つの第２支持機構３４４を更に有する。第１支持機構３４２、例えば突起部は、延伸フレーム３０８から延びる。第２支持機構３４４は、延伸フレーム３０８の少なくとも一つの延伸穴３５２を通じて少なくとも一つの接続要素３５０の一部分を対応するように通すことによって、第２ブラケット３１０のサイドプレート３２２に接続されている。少なくとも一つの接続要素３５０の他の部分は、延伸フレーム３０８を第２ブラケット３１０に移動可能に取り付けるために、延伸フレーム３０８の一方の面でブロックされる。そのため、延伸フレーム３０８は、少なくとも一つの延伸穴３５２によって規定された、限定された範囲内で、第２ブラケット３１０のサイドプレート３２２に対して動くことができる。好ましくは、スライドレールアセンブリ３００は、延伸フレーム３０８の第１支持機構３４２と少なくとも一つの接続要素３５０との間に接続された少なくとも一つのバネ３５８を更に有する。
【００５０】
図１６に示されるように、弾性要素３３８は、第２ブラケット３１０に対する第１の位置Ｐ１にブロック要素３２８を保持するための弾性力を与えるように構成されている。本実施形態において、弾性要素３３８は、ブロック要素３２８のガイド機構３３６に当接し、延伸フレーム３０８の接触機構として働く。弾性要素３３８は、ブロック要素３２８のガイド部３３０のガイド機構３３６に弾性力を与える。そのため、ブロック要素３２８のブロック部３３４は、弾性要素３３８の弾性力に応じて、第２ブラケット３１０の取付要素３２６（又はエンドプレート３２４）に対する第１の位置Ｐ１に保持される。したがって、ブロック要素３２８のブロック部３３４は、第２ポスト３６２に対応し又は第２ポスト３６２に面し、第２ブラケット３１０が第２ポスト３６２から取り外し可能でないことを確かにする。
【００５１】
図１７に示されるように、ラックの第１ポスト（図示なし）からスライドレールアセンブリ３００の第１ブラケットを取り外した後に、延伸フレーム３０８は、所定の位置に動くように、方向Ｆ１（例えば第２ポスト３６２に向かう方向に対して反対の方向）に沿って引き出される。そのため、弾性要素３３８の弾性力は、ブロック要素３２８のガイド部３３０のガイド機構３３６をより強く押すように、継続的に加えられる。一方、ブロック要素３２８は、ブロック要素３２８のガイド機構３３６に弾性力を加えているときの延伸フレーム３０８の弾性要素３３８の移動に応じて、ブロック要素３２８のブロック部３３４を取付要素３２６に対する第１の位置Ｐ１から第２の位置Ｐ２に動かすように、回転するように駆動される。そのため、第２ブラケット３１０は、第２ポスト３６２から取り外されることができる。そのような配置によると、ラックの第１ポストの前に立つ使用者は、第１ポスト及び第２ポストからスライドレールアセンブリを取り外すことができ、使用者が便利にかつ迅速に操作することが可能となる。
【００５２】
図１８は、本発明の第４の実施形態による、スライドレールアセンブリ４００を示す図である。スライドレールアセンブリ４００は、レール要素４０２、第１ブラケット（図示なし）、支持フレーム４０６、延伸フレーム４０８及び第２ブラケット４１０を有する。支持フレーム４０６は、レール要素４０２の一部分として、レール要素４０２に固定的に取り付けられる。延伸フレーム４０８は、支持フレーム４６に移動可能に取り付けられる。第２ブラケット４１０は、延伸フレーム４０８に取り付けられる。
【００５３】
図１９は、サイドプレート４２２、サイドプレート４２２の一端部から実質的に垂直に延びるエンドプレート４２４、及びエンドプレート４２４に取り付けられた少なくとも一つの取付要素４２６を有する第２ブラケット４１０を更に示す。スライドレールアセンブリ４００は、第２ブラケット４１０のサイドプレート４２２に可動に接続された（例えば枢着された）少なくとも一つのブロック要素４２８を更に有する。ブロック要素４２８は、ガイド部４３０、接触部４３２及びブロック部４３４を有する。ガイド部４３０は、傾斜したガイド機構４３６を有する。加えて、スライドレールアセンブリ４００は、第２ブラケット４１０のサイドプレート４２２に繋ぎ止められた弾性要素４３８を更に有する。延伸フレーム４０８の一端には、ブロック要素４２８のガイド機構４３６に対応する棒形状の接触機構４４０が配置されている。延伸フレーム４０８は、第１支持機構４４２及び少なくとも一つの第２支持機構４４４を更に有する。第１支持機構４４２、例えば突起部は、延伸フレーム４０８から延びる。第２支持機構４４４は、延伸フレーム４０８の少なくとも一つの延伸穴４５２を通じて少なくとも一つの接続要素４５０の一部分を対応するように通すことによって、第２ブラケット４１０のサイドプレート４２２に接続されている。少なくとも一つの接続要素４５０の他の部分は、延伸フレーム４０８を第２ブラケット４１０に移動可能に取り付けるために、延伸フレーム４０８の一方の面でブロックされる。したがって、延伸フレーム４０８は、少なくとも一つの延伸穴４５２によって規定された、限定された範囲内で、第２ブラケット４１０のサイドプレート４２２に対して動くことができる。スライドレールアセンブリ４００は、延伸フレーム４０８の第１支持機構４４２と少なくとも一つの接続要素４５０との間に接続された少なくとも一つのバネ４５８を更に有してもよい。
【００５４】
図２０に示されるように、弾性要素４３８は、第２ブラケット４１０に対する第１の位置にブロック要素４２８を保持するための弾性力を与えるように構成されている。本実施形態において、弾性要素４３８は、ブロック要素４２８の接触部４３２に弾性力を与える。そのため、ブロック要素４２８のブロック部４３４は、弾性要素４３８の弾性力に応じて、第２ブラケット４１０の取付要素４２６（又はエンドプレート４２４）に対する第１の位置Ｐ１に保持される。したがって、ブロック要素４２８のブロック部４３４は、第２ポスト４６２に対応し又は第２ポスト４６２に面し、第２ブラケット４１０が第２ポスト４６２から取り外し可能でないことを確かにする。
【００５５】
図２１に示されるように、ラックの第１ポスト（図示なし）からスライドレールアセンブリ４００の第１ブラケットを取り外した後に、延伸フレーム４０８は、所定の位置に動くように、方向Ｆ１（例えば第２ポスト４６２に向かう方向に対して反対の方向）に沿って引き出される。そのため、延伸フレーム４０８の接触機構４４０は、ブロック要素４２８のガイド部４３０のガイド機構４３６に当接し、且つ、所定の位置に動かされる。一方、ブロック要素４２８は、延伸フレーム４０８の移動に応じて、ブロック要素４２８のブロック部４３４を取付要素４２６に対する第１の位置Ｐ１から第２の位置Ｐ２に動かすように、回転するように駆動される。そのため、第２ブラケット４１０は、第２ポスト４６２から取り外されることができる。そのような配置によると、ラックの第１ポストの前に立つ使用者は、第１ポスト及び第２ポストからスライドレールアセンブリを取り外すことができ、使用者が便利にかつ迅速に操作することが可能となる。
【００５６】
当業者は、本発明の教示を保ちながら、本発明に係る装置及び方法の多数の変更及び代替が創作され得ることを容易に観察するであろう。よって、以上の開示は、添付の特許請求の範囲の境界線によってのみ限定されるものとして解釈されるべきである。
【図１】
2017023685.tif 000003
【図２】
2017023685.tif 000004
【図３】
2017023685.tif 000005
【図４】
2017023685.tif 000006
【図５】
2017023685.tif 000007
【図６】
2017023685.tif 000008
【図７】
2017023685.tif 000009
【図８】
2017023685.tif 000010
【図９】
2017023685.tif 000011
【図１０】
2017023685.tif 000012
【図１１】
2017023685.tif 000013
【図１２】
2017023685.tif 000014
【図１３】
2017023685.tif 000015
【図１４】
2017023685.tif 000016
【図１５】
2017023685.tif 000017
【図１６】
2017023685.tif 000018
【図１７】
2017023685.tif 000019
【図１８】
2017023685.tif 000020
【図１９】
2017023685.tif 000021
【図２０】
2017023685.tif 000022
【図２１】
2017023685.tif 000023